(57)【要約】【課題】予備の電池も、有線マウスも携帯する必要のない、しかも常時使用可能で省電力設計可能な無線ポインティングデバイス、無線マウスおよびパーソナルコンピュータを提供する。【解決手段】無線マウス１２と、パーソナルコンピュータ１１とを備える。パーソナルコンピュータ１１は、無線マウス１２からの信号を入力する受信側無線インタフェース１３および電力供給部のある受信側有線インタフェース１６を有する。無線マウス１２は、信号を出力するマウス動作回路１９と、信号を送信する送信側無線インタフェース１４と、信号を接続ケーブル１８を介して送信するとともに電力供給部に電力ラインを介して接続される電力受電部を有する送信側有線インタフェース１７と、電力受電部に接続された充電器２２と、充電池２１と、電圧検出回路２３と、有線無線切り替え回路２０とを具備する。【選択図】  図１
2004220315.tif 000002
【特許請求の範囲】
【請求項１】
ポインタを操作するための無線マウスと、前記ポインタを画面に表示するとともに、前記無線マウスからの信号を受けて前記無線マウスの操作に合わせて前記ポインタを移動させる構成を有するポインタ付画像装置とを備え、
前記ポインタ付画像装置は、前記無線マウスからのマウス移動距離や方向を示す信号を入力する受信側無線インタフェースを有し、さらに電力供給部を有するものであり、
前記無線マウスは、前記マウス移動距離や方向を示す信号を出力するマウス動作回路と、前記信号を前記受信側無線インタフェースに無線電波により送信する送信側無線インタフェースと、前記電力供給部に電源供給ラインを介して接続される電力受電部と、この電力受電部に接続された充電器と、この充電器に接続されたマウス電源用の充電池とを具備することを特徴とする無線ポインティングデバイス。
【請求項２】
ポインタ付画像装置は、受信側有線インタフェースを有し、無線マウスは前記受信側有線インタフェースに信号線を介して接続されてマウス動作回路の信号を送信する送信側有線インタフェースを有する請求項１記載の無線ポインティングデバイス。
【請求項３】
ポインタを操作するための無線マウスと、前記ポインタを画面に表示するとともに、前記無線マウスからの信号を受けて前記無線マウスの操作に合わせて前記ポインタを移動させる構成を有するポインタ付画像装置とを備え、
前記ポインタ付画像装置は、前記無線マウスからのマウス移動距離や方向を示す信号を入力する受信側無線インタフェースおよび受信側有線インタフェースを有し、前記有線インタフェースは電力供給部を有するものであり、
前記無線マウスは、前記マウス移動距離や方向を示す信号を出力するマウス動作回路と、前記信号を前記受信側無線インタフェースに無線電波により送信する送信側無線インタフェースと、前記信号を前記受信側有線インタフェースに信号線を介して送信するとともに前記電力供給部に電源供給ラインを介して接続される電力受電部を有する送信側有線インタフェースと、前記電力受電部に接続された充電器と、この充電器に接続されたマウス電源用の充電池と、前記電力受電部の電圧を検出する電圧検出回路と、この電圧検出回路の電圧を検出した検出信号があるとき前記マウス動作回路の前記信号を前記送信側有線インタフェースに供給し前記検出信号がないとき前記送信側無線インタフェースに供給する有線無線切り替え回路とを具備することを特徴とする無線ポインティングデバイス。
【請求項４】
電源供給ラインを接続たとき、充電池から送信側無線インタフェースへの電源供給を停止する手段を有する請求項１、請求項２または請求項３記載の無線ポインティングデバイス。
【請求項５】
受信側無線インタフェースおよび電力供給部のある受信側有線インタフェースを有して、画面上にポインタを表示するポインタ付画像装置に、前記ポインタを操作するためのマウス移動距離や方向を示す信号を出力する無線マウスであって、
前記信号を出力するマウス動作回路と、前記信号を前記受信側無線インタフェースに無線電波により送信する送信側無線インタフェースと、前記信号を前記受信側有線インタフェースに信号線を介して送信するとともに前記電力供給部に電源供給ラインを介して接続される電力受電部を有する送信側有線インタフェースと、前記電力受電部に接続された充電器と、この充電器に接続されたマウス電源用の充電池と、前記電力受電部の電圧を検出する電圧検出回路と、この電圧検出回路の電圧を検出した検出信号があるとき前記マウス動作回路の前記信号を前記送信側有線インタフェースに供給し前記検出信号がないとき前記送信側無線インタフェースに供給する有線無線切り替え回路とを備えた無線マウス。
【請求項６】
充電器および充電池を内蔵しかつ送信側無線インタフェースおよび送信側有線インタフェースを有する無線マウスから、ポインタを操作する信号を入力するパーソナルコンピュータであって、
前記送信側無線インタフェースより前記信号を電波により受信する受信側無線インタフェースと、前記送信側有線インタフェースより前記信号を信号線を介して受信する受信側有線インタフェースを備え、前記受信側有線インタフェースは、電源供給ラインを介して前記充電器に電力を供給する電力供給部を有することを特徴とするパーソナルコンピュータ。
【発明の詳細な説明】
【０００１】
【発明の属する技術分野】
本発明は、パーソナルコンピュータ等に使われる無線ポインティングデバイス、その無線マウスおよびパーソナルコンピュータに関するものである。
【０００２】
【従来の技術】
図３は、従来のこの種の無線ポインティングデバイスの構成を示すものである（非特許文献１）。１はパーソナルコンピュータ（以下、ＰＣとも略記）、２は無線のインタフェースを介してパーソナルコンピュータ１の操作のためのポインティング機能を果たす無線マウス、３はパーソナルコンピュータ１側で、無線マウス２からの情報を受信する無線インタフェース（ＰＣ側）、４は無線マウス２側で、パーソナルコンピュータ１へ無線マウス２からの情報を発信する無線インタフェース（マウス側）、５は無線マウス２の移動距離や移動方向を電気信号に変換するマウス動作回路、６は無線マウス２を構成する無線インタフェース（マウス側）４や、マウス動作回路５へ、それらの動作のための電力を供給する電池、７の破線は無線インタフェース（マウス側）４やマウス動作回路５への電源ライン、８は無線インタフェース（ＰＣ側）３と無線インタフェース（マウス側）４間で、飛び交う無線電波を模式的にあらわしたもの、９は信号ラインである。なお、電池６は、それ自身が、無線マウス２内にあって、充電不可能であり、別途充電器を用いて充電可能である場合もある。
【０００３】
以上のように構成された従来の無線ポインティングデバイスでは、電池６がマウス動作回路５、無線インタフエース（マウス側）４に電力供給して、マウス動作回路５でマウスの移動距離や移動方向を電気信号に変換し、無線インタフエース（マウス側）４と無線インタフエース（ＰＣ側）３間に模式的にあらわした、無線電波８を介して、パーソナルコンピュータ１に送り、パーソナルコンピュータ操作者の意図する操作の方向と移動距離をパーソナルコンピュータ１に伝える。
【０００４】
【非特許文献１】
ロジクール社のプレスリリース「ロジクール、業界初Ｂｌｕｅｔｏｏｔｈ無線技術を採用したレーザーポインター付、光学式ポインティングデバイス「Ｃｏｒｄｌｅｓｓ  Ｐｒｅｓｅｎｔｅｒ（ＢＭ−１０００）」を２００２年８月下旬よりロジクール社Ｗｅｂサイトにて先行発売」（ｈｔｔｐ：／／ｗｗｗ．ｌｏｇｉｃｏｏｌ．ｃｏ．ｊｐ／ｃｆ／ｐｒｅｓｓ／ｐｒｅｓｓ７６．ｈｔｍｌ）
【０００５】
【発明が解決しようとする課題】
しかしながら、上記のような構成では、電池が消耗した場合に、代替の電池がなければ、無線ポインティングデバイスが動作しなかった。また、充電可能な電池を使用していた場合には、別途充電器を携帯し、それを利用しての充電が必要であり、しかも充電中は無線マウスが使用できなかった。そのため、常時パーソナルコンピュータを操作するには、別途有線マウスを携帯する必要があった。
【０００６】
本発明は、かかる点を鑑み、予備の電池も、有線マウスも携帯する必要のない、しかも常時使用可能で省電力設計可能な無線ポインティングデバイス、無線マウスおよびパーソナルコンピュータを提供することを目的とする。
【０００７】
【課題を解決するための手段】
請求項１記載の無線ポインティングデバイスは、ポインタを操作するための無線マウスと、ポインタを画面に表示するとともに、無線マウスからの信号を受けて無線マウスの操作に合わせてポインタを移動させる構成を有するポインタ付画像装置とを備え、
ポインタ付画像装置は、無線マウスからのマウス移動距離や方向を示す信号を入力する受信側無線インタフェースを有し、さらに電力供給部を有するものであり、
無線マウスは、マウス移動距離や方向を示す信号を出力するマウス動作回路と、信号を受信側無線インタフェースに無線電波により送信する送信側無線インタフェースと、電力供給部に電源供給ラインを介して接続される電力受電部と、この電力受電部に接続された充電器と、この充電器に接続されたマウス電源用の充電池とを具備することを特徴とするものである。
【０００８】
請求項１記載の無線ポインティングデバイスによれば、充電池が消耗したとき、画像装置例えばパーソナルコンピュータの電力供給部に電源供給ラインを接続して充電することができるので、予備の電池も有線マウスも必要でなくなる。
【０００９】
請求項２記載の無線ポインティングデバイスは、請求項１において、ポインタ付画像装置が、受信側有線インタフェースを有し、無線マウスは受信側有線インタフェースに信号線を介して接続されてマウス動作回路の信号を送信する送信側有線インタフェースを有する。
【００１０】
請求項２記載の無線ポインティングデバイスによれば、請求項１と同様な効果のほか、信号線を接続することにより充電と同時に有線により信号を送信することができるので、有線時にはマウスの通常操作中に、充電池の充電ためにパーソナルコンピュータのマウスのインタフェース（例えばＵＳＢ）経由で電源供給することができ、無線マウスを常時使用可能となる。
【００１１】
請求項３記載の無線ポインティングデバイスは、ポインタを操作するための無線マウスと、ポインタを画面に表示するとともに、無線マウスからの信号を受けて無線マウスの操作に合わせてポインタを移動させる構成を有するポインタ付画像装置とを備え、
ポインタ付画像装置は、無線マウスからのマウス移動距離や方向を示す信号を入力する受信側無線インタフェースおよび受信側有線インタフェースを有し、有線インタフェースは電力供給部を有するものであり、
無線マウスは、マウス移動距離や方向を示す信号を出力するマウス動作回路と、信号を受信側無線インタフェースに無線電波により送信する送信側無線インタフェースと、信号を受信側有線インタフェースに信号線を介して送信するとともに電力供給部に電源供給ラインを介して接続される電力受電部を有する送信側有線インタフェースと、電力受電部に接続された充電器と、この充電器に接続されたマウス電源用の充電池と、電力受電部の電圧を検出する電圧検出回路と、この電圧検出回路の電圧を検出した検出信号があるときマウス動作回路の信号を送信側有線インタフェースに供給し検出信号がないとき送信側無線インタフェースに供給する有線無線切り替え回路とを具備することを特徴ものである。
【００１２】
請求項３記載の無線ポインティングデバイスによれば、請求項２と同様な効果がある。
【００１３】
請求項４記載の無線ポインティングデバイスは、請求項１、請求項２または請求項３において、電源供給ラインを接続たとき、充電池から送信側無線インタフェースへの電源供給を停止する手段を有するものである。
【００１４】
請求項４記載の無線ポインティングデバイスによれば、請求項１、請求項２または請求項３と同様な効果のほか、省電力が可能となる。
【００１５】
請求項５記載の無線マウスは、受信側無線インタフェースおよび電力供給部のある受信側有線インタフェースを有して、画面上にポインタを表示するポインタ付画像装置に、ポインタを操作するためのマウス移動距離や方向を示す信号を出力する無線マウスであって、
信号を出力するマウス動作回路と、信号を受信側無線インタフェースに無線電波により送信する送信側無線インタフェースと、信号を受信側有線インタフェースに信号線を介して送信するとともに電力供給部に電源供給ラインを介して接続される電力受電部を有する送信側有線インタフェースと、電力受電部に接続された充電器と、この充電器に接続されたマウス電源用の充電池と、電力受電部の電圧を検出する電圧検出回路と、この電圧検出回路の電圧を検出した検出信号があるときマウス動作回路の信号を送信側有線インタフェースに供給し検出信号がないとき送信側無線インタフェースに供給する有線無線切り替え回路とを備えたものである。
【００１６】
請求項５記載の無線マウスによれば、請求項３と同様な効果がある。
【００１７】
請求項６記載のパーソナルコンピュータは、充電器および充電池を内蔵しかつ送信側無線インタフェースおよび送信側有線インタフェースを有する無線マウスから、ポインタを操作する信号を入力するパーソナルコンピュータであって、
送信側無線インタフェースより信号を電波により受信する受信側無線インタフェースと、送信側有線インタフェースより信号を信号線を介して受信する受信側有線インタフェースを備え、受信側有線インタフェースは、電源供給ラインを介して充電器に電力を供給する電力供給部を有することを特徴とするものである。
【００１８】
請求項６記載のパーソナルコンピュータによれば、請求項３と同様な効果がある。
【００１９】
【発明の実施の形態】
図１は、本発明の請求項１に対応する第１の実施の形態における無線ポインティングデバイスの構成を示すものである。図１において、１１はパーソナルコンピュータ（以下、ＰＣとも略記）、１２は無線マウス、１３はパーソナルコンピュータ１１の無線インタフェース（ＰＣ側）、１４はパーソナルコンピュータ１１の無線インタフェース（マウス側）、１５は無線インタフェース（ＰＣ側）１３と無線インタフェース（マウス側）１４との間を飛び交う無線電波を模式的にあらわしたもの、１６はパーソナルコンピュータ１１と無線マウス１２間で、マウスの移動距離や移動方向を電気信号を伝える信号線のほか、電源供給ラインを備えた有線インタフェース（ＰＣ側）、１７はパーソナルコンピュータ１１と無線マウス１２間で、マウスの移動距離や移動方向を電気信号を伝える信号線のほか、電源供給ラインを備えた有線インタフェース（マウス側）、１８は有線インタフェース（ＰＣ側）１６と有線インタフェース（マウス側）１７を結び、パーソナルコンピュータ１１と無線マウス１２間で、マウスの移動距離や移動方向を電気信号を伝える信号線のほか、電源供給ラインを備えた接続ケーブル、１９はマウスの移動距離や移動方向を電気信号に変換するマウス動作回路、２０はマウス動作回路１９の出力を後記の切替信号２４によって、無線インタフェース（マウス側）１４に出力するか、有線インタフェース（マウス側）１７に出力するかを切り替える有線無線切替回路、２１は充電池、２２は充電池２１のための充電器、２３は有線インタフェース（ＰＣ側）１６と有線インタフェース（マウス側）１７が、接続ケーブル１８によって接続された場合に、パーソナルコンピュータ１１から、接続ケーブル１８の電源供給ラインを経由して送られる電力の有無を検出し、電力がある場合には、有線無線切替回路２０は、有線インタフェース（マウス側）１７とマウス動作回路１９を接続し、電力がない場合には、無線インタフェース（マウス側）１４とマウス動作回路１９を接続する信号を発生する電圧検出回路、２４は電圧検出回路２３の切替信号、２５は充電池２１から、マウス動作回路１９に電力供給するための電源ライン、２６は充電池２１から、有線無線切替回路２０に電力供給するための電源ライン、２７は充電池２１から、無線インタフェース（マウス側）１４に電力供給するための電源ライン、２８は有線マウスインタフェース（マウス側）１７から、充電器２２へ電力供給するための電源ライン、２９は充電器２２から充電池２１への充電のため電力供給する充電ライン、３０から３４は、パーソナルコンピュータ１１、無線マウス１２、無線インタフェース（ＰＣ側）１３、無線インタフェース（マウス側）１４、有線インタフェース（ＰＣ側）１６、有線インタフェース（マウス側）１７、マウス動作回路１９、有線無線切替回路２０間でやり取りされる信号が流れる信号線である。
【００２０】
以上のように構成された本発明の請求項１に対応する第１の実施の形態における無線ポインティングデバイスについて、以下にその動作について説明する。
【００２１】
有線インタフェース（ＰＣ側）１６と有線インタフェース（マウス側）１７が接続ケーブル１８によって接続されていないとき、充電池２１が無線インタフェース（マウス側）１４、マウス動作回路１９、有線無線切替回路２０に電源ライン２５，２６、２７を介して、電源供給する。この場合、無線マウス２は、パーソナルコンピュータ１１から電力供給をうけないので、電源ライン２８には、電流がながれない。よって、電圧検出回路２３では、電圧を検出できないために、切替信号２４は、有線無線切替回路２０の切替をマウス動作回路１９と無線インタフェース１４を信号線３２と信号線３４を介して繋ぐように切り替える。したがって、マウス動作回路１９から出力されたマウスの移動距離や移動方向を電気信号にして、順に、有線無線切替回路２０、無線インタフェース（マウス側）１４、無線電波１５、無線インタフェース（ＰＣ側）１３を経由して、パーソナルコンピュータ１１に届く。この状態を継続し、充電池２１が消耗しきった場合、接続ケーブル１８を用いて、有線インタフェース（ＰＣ側）１６と有線インタフェース（マウス側）１７を接続すると、パーソナルコンピュータ１１から無線マウス１２へ電力供給され、電源ライン２８に電流が流れる。電圧検出回路２３が、電源ライン２８の電圧を検出し、切替信号２４を有線無線切替回路２０の切替をマウス動作回路１９と有線インタフェース１７を信号ライン３３と、信号ライン３４を介して繋ぐように切り替え、マウス動作回路１９から出力されたマウスの移動距離や移動方向を電気信号は、順に、有線無線切替回路２０、有線インタフェース（マウス側）１７、接続ケーブル１８、有線インタフェース（ＰＣ側）１６を経由して、パーソナルコンピュータ１１に届く。同時に、電源ライン２８を経由して、電力が、充電器２２に届き、充電ライン２９を経由して、充電池２１の充電が行われる。
【００２２】
以上のように本発明の第１の実施の形態によれば、無線接続で、電池消耗時でも、有線接続に切り替えれば動作し、常時動作可能な無線ポインティングデバイスを実現することができる。
【００２３】
図２は、本発明の請求項２に対応する第２の実施の形態における無線ポインティングデバイスの構成を示すものである。図２において、１１から３４は、図１に示される構成要素と同一の機能を有する。３５はスイッチであって、電圧検出回路２３において、電圧が検出された場合は、電源ライン２７を電気的に切断し、電圧が検出されない場合は、電気的に接続する。
【００２４】
以上のように構成された本発明の第２の実施の形態における無線ポインティングデバイスについて、以下にその動作について説明する。接続ケーブル１８によって、有線インタフェース（ＰＣ側）１６と有線インタフェース（マウス側）１７が接続ケーブル１８によって接続されていないとき、充電池２１が無線インタフェース（マウス側）１４、マウス動作回路１９、有線無線切替回路２０に電源ライン２５，２６、２７を介して、電源供給する。この場合、無線マウス２は、パーソナルコンピュータ１１から電力供給をうけないので、電源ライン２８には、電流がながれない。よって、電圧検出回路２３では、電圧を検出できないために、切替信号２４は、有線無線切替回路２０の切替をマウス動作回路１９と無線インタフェース１４を信号線３２と信号線３４を介して繋ぐように切り替える。また、切替信号２４は、スイッチ３５を電気的に接続状態にする。したがって、マウス動作回路１９から出力されたマウスの移動距離や移動方向を電気信号にして、順に、有線無線切替回路２０、無線インタフェース（マウス側）１４、無線電波１５、無線インタフェース（ＰＣ側）１３を経由して、パーソナルコンピュータに届く。この状態を継続し、充電池２１が消耗しきった場合、接続ケーブル１８を用いて、有線インタフェース（ＰＣ側）１６と有線インタフェース（マウス側）１７を接続すると、パーソナルコンピュータ１１から無線マウス１２へ電力供給され、電源ライン２８に電流が流れる。電圧検出回路２３が、電源ライン２８の電圧を検出し、切替信号２４を有線無線切替回路２０の切替をマウス動作回路１９と有線インタフェース１７を信号ライン３３と、信号ライン３４を介して繋ぐように切り替え、マウス動作回路１９から出力されたマウスの移動距離や移動方向を電気信号は、順に、有線無線切替回路２０、有線インタフェース（マウス側）１７、接続ケーブル１８、有線インタフェース（ＰＣ側）１６を経由して、パーソナルコンピュータ１１に届く。この際に切替信号２４は、スイッチ３５を電気的に切断し、無線インタフェース（マウス側）１４への電力供給を停止すると同時に、電源ライン２８を経由して、電力が充電器２２に届き、充電ライン２９を経由して、充電池２１の充電を行う。
【００２５】
以上のように本発明の第２の実施の形態によれば、無線接続で電池消耗時でも、有線接続に切り替えれば動作し、常時動作可能な省電力設計された無線ポインティングデバイスを実現することができる。
【００２６】
【発明の効果】
請求項１記載の無線ポインティングデバイスによれば、充電池が消耗したとき、画像装置例えばパーソナルコンピュータの電力供給部に電源供給ラインを接続して充電することができるので、予備の電池も有線マウスも必要でなくなる。
【００２７】
請求項２記載の無線ポインティングデバイスによれば、請求項１と同様な効果のほか、信号線を接続することにより充電と同時に有線により信号を送信することができるので、有線時にはマウスの通常操作中に、充電池の充電ためにパーソナルコンピュータのマウスのインタフェース（例えばＵＳＢ）経由で電源供給することができ、無線マウスを常時使用可能となる。
【００２８】
請求項３記載の無線ポインティングデバイスによれば、請求項２と同様な効果がある。
【００２９】
請求項４記載の無線ポインティングデバイスによれば、請求項１、請求項２または請求項３と同様な効果のほか、省電力が可能となる。
【００３０】
請求項５記載の無線マウスによれば、請求項３と同様な効果がある。
【００３１】
請求項６記載のパーソナルコンピュータによれば、請求項３と同様な効果がある。
【図面の簡単な説明】
【図１】本発明の第１の実施の形態における無線ポインティングデバイスの構成のブロック図である。
【図２】本発明の第２の実施の形態における無線ポインティングデバイスの構成のブロック図である。
【図３】従来の無線ポインティングデバイスの構成のブロック図である。
【符号の説明】
１１  パーソナルコンピュータ
１２  無線マウス
１３  無線インタフェース（ＰＣ側）
１４  無線インタフェース（マウス側）
１５  無線電波
１６  有線インタフェース（ＰＣ側）
１７  有線インタフェース（マウス側）
１８  接続ケーブル
１９  マウス動作回路
２０  有線無線切替回路
２１  充電池
２２  充電器
２３  電圧検出回路
２４  切替信号
２５  電源ライン
２６  電源ライン
２７  電源ライン
２８  電源ライン
２９  充電ライン
３０〜３４  信号ライン
【図１】
2004220315.tif 000003
【図２】
2004220315.tif 000004
【図３】
2004220315.tif 000005